(57)【要約】【課題】ラミネート部分の乾燥を速める吹込みモデルの分配装置を提供する【解決手段】衣類を乾燥並びにアイロン掛けするための吹込みモデルの分配装置である。この吹込みモデル（１）は、人体に対応して閉じたモデルを形成するように、多孔性の布地を縫い合せることにより形成されている。空気入口パイプ（１０）が、モデル（１）の上端部に形成され、加熱装置が、モデル中に空気を吹き込むように空気入口パイプの外端部に接続される。複数の分流チューブ（２１２）が、モデル中に設けられている。各分流チューブの一端部は、空気入口パイプ（１０）の内端部から分岐され、また、他端部は、衣類の複数のラミネート部分に対応した内面に向けられている。【選択図】  図２ａ
2009082688.tif 000002
【特許請求の範囲】
【請求項１】
衣類を乾燥並びにアイロン掛けするための吹込みモデルの分配装置であって、この吹込みモデルの上端部に形成された空気入口パイプと、吹込みモデル中に空気を吹き込むように前記空気入口パイプの外端部に接続される加熱装置とを具備し、前記吹込みモデルは、濡れた衣類が装着されるように人体に対応し閉じたモデルを形成するように、多孔性の布地を縫い合せることにより形成されている、分配装置において、複数の分流チューブが、前記吹込みモデル中に設けられ、各分流チューブの一端部は、前記空気入口パイプの内端部から分岐され、また、各分流チューブの他端部は、衣類の複数のラミネート部分に対応した内面に向けられていることを特徴とする吹込みモデルの分配装置。
【請求項２】
前記吹込みモデルは、衣類の複数のラミネート部分に夫々対応した複数の通気性の高い領域を有し、これら通気性の高い領域は、吹込みモデルのために使用された多孔性の布地よりもわずかに大きいメッシュ密度を有する布地により形成されている請求項１の吹込みモデルの分配装置。
【請求項３】
各分流チューブの前記他端部の一点は、前記複数の通気性の高い領域の各々の内面の上端エッジに固定されている請求項２の吹込みモデルの分配装置。
【請求項４】
前記複数の分流チューブは、吹込みモデルのために使用されている多孔性の布地よりも小さなメッシュ密度を有する布地を縫い合せることにより、若しくは、気密性のある布地を縫い合せることにより形成されている請求項２若しくは３の吹込みモデルの分配装置。
【請求項５】
前記吹込みモデルは、人体の上半身の形状をまねして形成された上半身モデルであり、濡れた衣類が装着される１つの上半身部分と１つのネック部分と１対の上肢部分とを有している請求項２ないし４のいずれか１の吹込みモデルの分配装置。
【請求項６】
前記複数の通気性の高い領域は、前記上半身モデルの１つの襟足部分と、２つの胸部分と、１つの前部分と、２つのカフス部分とにそれぞれ対応するように形成された通気性の高い領域を含んでいる請求項５の吹込みモデルの分配装置。
【請求項７】
前記上半身モデルは、前記空気入口パイプの内側下面に接続された空気チャンバを有し、この空気チャンバは、前記複数の分流チューブに熱気を分配して、前記複数の通気性の高い領域に熱気をそれぞれ方向付けするように、前記空気入口パイプから分流用の主チューブを通して熱気を導入する請求項５若しくは６の吹込みモデルの分配装置。
【請求項８】
前記複数の分流チューブは、衣類のカフス部分のところで通気性の高い領域の上側エッジにそれぞれ方向付けられた１対の分流チューブと、前記前部分のところで通気性の高い領域の上側エッジに方向付けられた１つの分流チューブとを含んでいる請求項５ないし７のいずれか１の吹込みモデルの分配装置。
【請求項９】
複数の留めテープが、前記加熱装置の空気出口に結ばれたり取着されたりするように、上半身モデルの前記空気入口パイプの上端部に設けられている請求項５ないし８のいずれか１の吹込みモデルの分配装置。
【請求項１０】
前記加熱装置は、ブロアであり、前記吹込みモデル中に冷気若しくは熱気を選択的に吹き込む請求項１ないし９のいずれか１の吹込みモデルの分配装置。
【請求項１１】
前記吹込みモデルは、人体の下半身の形状をまねして形成された下半身モデルであり、濡れたズボンが装着される１つの下半身部分と、１対の下肢部分とを有している請求項２ないし４のいずれか１の吹込みモデルの分配装置。
【請求項１２】
前記複数の通気性の高い領域は、前記下半身モデルの１つのウエストバンド部分と、１つのジッパーシールド部分と、２つの脇ポケット部分と、２つの後ポケット部分と、２つのズボンカフス部分とにそれぞれ対応するように形成された通気性の高い領域を含んでいる請求項１１の吹込みモデルの分配装置。
【請求項１３】
前記下半身モデルは、前記空気入口パイプの内側下面に接続された空気チャンバを中に有し、この空気チャンバは、前記複数の分流チューブに熱気を分配して、前記複数の通気性の高い領域に熱気を方向付けするように、前記入口パイプから分流用の主チューブを通して熱気を導入する請求項１１若しくは１２の吹込みモデルの分配装置。
【請求項１４】
前記複数の分流チューブのうちの１つが、ズボンのジッパーシールド部分で通気性の高い領域の上側エッジに方向付けられ、また、前記複数の分流チューブのうちの１対の分流チューブが、両脇ポケット部分で通気性の高い領域の上側エッジにそれぞれ方向付けられ、また、前記複数の分流チューブのうちの１対の分流チューブが、２つの後ポケット部分で通気性の高い領域の上側エッジにそれぞれ方向付けられている請求項１１ないし１３のいずれか１の吹込みモデルの分配装置。
【請求項１５】
複数の留めテープが、前記加熱装置の空気出口に結ばれたり取着されたりするように、下半身モデルの前記空気入口チューブの上端部に設けられている請求項１１ないし１４のいずれか１の吹込みモデルの分配装置。
【請求項１６】
前記吹込みモデルは、人体の上半身と腰との形状をまねして形成された一体モデルであり、ボディストッキングが装着される１つの上半身部分と１つのネック部分と１対の上肢部分と１つの腰部分とを有している請求項２ないし４のいずれか１の吹込みモデルの分配装置。
【請求項１７】
前記複数の通気性の高い領域は、前記一体モデルの両胸部分にそれぞれ凸状に形成された１対の通気性の高い領域を含んでいる請求項１６の吹込みモデルの分配装置。
【請求項１８】
一体モデル中の前記複数の分流チューブの１対の分流チューブが、前記空気入口パイプの内端部から分岐され、両胸部分の前記１対の通気性の高い領域の上側エッジにそれぞれ方向付けられている請求項１７の吹込みモデルの分配装置。
【請求項１９】
前記一体モデルは、細長い肩紐を吊るすように上方に突出した１対のショルダー部分を形成し、１対の上肢部分は、靴下が装着されるように小径の外形を有している請求項１６ないし１８のいずれか１の吹込みモデルの分配装置。
【請求項２０】
ジッパーにより閉じられ垂直方向に延びた開口部が、左右方向に延びる少なくとも１つの吊り紐が設けられた前記一体モデルの背面に形成されている請求項１６ないし１９のいずれか１の吹込みモデルの分配装置。
【請求項２１】
複数の留めテープが、前記加熱装置の空気出口に結ばれたり取着されたりするように、一体モデルの前記空気入口パイプの上端部に設けられている請求項１６ないし２０のいずれか１の吹込みモデルの分配装置。
【発明の詳細な説明】
【技術分野】
【０００１】
本発明は、多孔性の人体モデルを使用することにより衣類を乾燥並びにアイロン掛けするためのメカニズムに関する。より詳細には、本発明は、衣類を乾燥させるのを速めて衣類をアイロン掛けされた状態に維持するように、熱気を方向付けて衣類のラミネート部分の通気性スピードを速めるために、分流チューブを使用している吹込みモデルの分配装置に関する。
【背景技術】
【０００２】
通常、衣類を乾かす方法は、太陽光や風により、若しくは、電気乾燥機により果たされる。太陽光や風により衣類を乾かすには、特に悪天候の状況の間、長い時間がかかる。さらに、自然の方法で乾かされた後の衣類には、簡単にしわがより、かくして、着用される前にアイロン掛けされなければならない。後者の場合、濡れた衣類は、衣類の水分を蒸発させるように、乾燥機の密閉空間中に入れられて、熱が加えられる。衣類を乾かすのに必要とされる時間は、電気乾燥機を使用することにより節減され得るが、衣類は、乾燥中にドラム内で連続的に回転されるので、乾燥後には全体的にしわがよってしまう。通常、衣類用の電気乾燥機によりズボン若しくはシャツを乾燥させるには、約４０分かかり、また、手慣れた女性がアイロン掛けするには、約６ないし１０分かかる。
【０００３】
図１ａないし１ｃに示されているような、衣類を乾燥並びにアイロン掛けするための既知の方法並びにメカニズムの欠点を改善するために、「吹込みモデルを使用することにより衣類を乾燥させ、同時にアイロン掛けするための方法、並びに、これに関連した吹込みモデル」というタイトルの特許文献１（米国特許第６，０４１，５１７号に対応する）が、本発明の発明者により提案されている。これは、人体の上半身モデル１０’に縫い合わされた多孔性の布地と、上半身部分１２’、ネック部分１１’、並びに上肢部分１３’を有し、かつシールされたタイプに形成されたモデル１０’と、ネック部分１１’の上端部に導入された空気吹き込みパイプ１４’と、ネック部分１１’に装着されたマニホールド１５’と、このマニホールド１５’に装着された分岐マニホールド１５１’と、人体の下半身モデル２０’に縫い合わされた多孔性の布地と、下半身部分２１’並びに下肢部分２２’を有し、かつシールされたタイプに形成されたモデル２０’と、下半身部分の上端部に導入された空気吹き込みパイプ２３’と、下半身部分２１’の上端部に装着されたマニホールド２４’と、このマニホールドに装着された分岐マニホールド２４１’とを有している。上述された両モデル２０’，２１’は、吹き込み形態でなく、濡れた衣類１６’とズボン２５’との中に夫々置かれ、重ねられた層部分に前記マニホールド１５’，２４’と分岐マニホールド１５１’，２４１’とを重ね合わせる。そして、熱気が、ブロア１７’を使用することにより空気吹き込みパイプ１４’，２３’中に吹き込まれる。モデル１０’，２０’が張力で維持された後、熱気は、多孔性の布地の繊維間の小さなスリットから逃げ、これと同時に、布地の外層の繊維から水分子を奪い、かくして、衣類を素早く乾燥させ、平らなきちんとした状態に維持する。
【０００４】
上記の台湾特許公報は、本発明の目的並びに効果を確実に果たすことができる。しかし、本発明の発明者は、モデル１０’，２０’の内側から熱気が透過するスピードが、ブロア１７’から吹き込まれる熱気のスピードよりも遅いために、加圧ゾーンが、モデル１０’２０’の上肢部分１３’と下肢部分２２’とに形成されてしまうことに、商業化の過程で気付いた。この加圧ゾーンは、加圧ゾーンの昇温バリアをもたらすように熱気に対する下降性の抵抗を形成し、かくして温度均一効果は、十分なものではない。さらに、前記マニホールド１５’，２４’と分岐マニホールド１５１’，２４１’とは、外側から衣類のラミネート部分への熱気の透過性を向上させるように、ラミネート部分のために設けられている。しかし、マニホールド１５’，２４’と分岐マニホールド１５１’，２４１’とでの外側からラミネート部分への熱気の通気は、モデル１０’，２０’中の熱気が内側から外側に通気するのを妨げる原因の１つになっていることが、実際のテストで判った。かくして、ラミネート部分の乾燥を速める効果は、期待したほど良くはない。さらに、本発明の発明者は、分流パイプが、ブロアから来た熱気を上肢部分と下肢部分との下端にそれぞれ案内するのに使用されれば、また、透過スピードが端部全体に渡って向上されれば、熱気の循環の流れが生じ、かくして、モデル全体中での熱気の温度均一効果はかなり改善されるであろうことに、他の実験で気付いた。
【特許文献１】台湾特許第４０９１５７号
【発明の開示】
【発明が解決しようとする課題】
【０００５】
本発明の目的は、従来技術の上述された欠点を改善し得るように、衣類を乾燥並びにアイロン掛けするための吹込みモデルの分配装置を提供することである。
【課題を解決するための手段】
【０００６】
上記並びに他の目的を達成するために、以下のような吹込みモデルの分配装置が提供される。この吹込みモデルは、濡れた衣類が装着され、かつ人体に対応して閉じたモデルを形成するように、多孔性の布地を縫い合せることにより形成されている。このモデルの上端部には、空気入口パイプが形成され、また、この空気入口パイプの外端部には、モデル中に空気を吹き込むように、加熱装置が接続されている。モデル中には、複数の分流チューブが設けられており、各分流チューブの一端部は、空気入口パイプの内端部から分岐され、また、各分流チューブの他端部は、衣類の複数のラミネート部分に対応した内面に方向付けられている。この吹込みモデルは、モデルのために使用されている多孔性の布地よりもわずかに大きいメッシュ密度を有する布地により形成された、多孔性の高い複数の領域を有している。
【０００７】
本発明に従えば、前記分流チューブは、モデルのために使用されている多孔性の布地よりも小さなメッシュ密度を有する布地を縫い合せることにより、若しくは、気密性のある布地を縫い合せることにより形成されている。各分流チューブの一端部の一点は、各分流チューブが通気性の高い領域に熱気を排出し得るように、通気性の高い領域の内面の上側エッジに固定されている。実験によれば、各分流チューブから排出された熱気の一部は、部分的な領域のために通気スピードを速めることができ、また、熱気の残りは、モデル中に拡散され循環する。従って、衣類のラミネート部分に対する乾燥スピードは、加速されることができる。さらに、モデルの上肢部分と下肢部分の熱気に対する下降性の抵抗を形成する加圧ゾーンの形成は、回避される。従って、熱気は、モデル中に比較的均一に分散されることができる。
【０００８】
本発明に従えば、吹込みモデルは、衣類が装着されるように人体の上半身をまねして形成された上半身モデルと、ズボンが装着されるように人体の下半身をまねして形成された下半身モデルと、肩紐、ブラジャー、パンティ、靴下、並びに小さな付属品のような女性用のボディストッキングを装着若しくは吊るすように上半身と腰とをまねして形成された一体モデルとを有している。通常のブロアは、空気入口パイプから吹込みモデル中に熱気を吹き込むのに使用される。モデルがある程度張るように膨張された後に、熱気が、布地の繊維間のギャップから外側に透過して、布地の繊維間の水分子を除去し始める。従って、衣類は、素早く乾燥されることができる。通常の電気乾燥機と比較して、乾燥のために消費される時間と電気とのおおよそ半分が、節減され得る。さらに、乾燥された後の衣類は、アイロン掛けされ、きちんと維持されることができる。これは、本発明の他の目的である。
【０００９】
本発明に従えば、膨張されていない状態の吹込みモデルは、通常の衣類のように容易に折りたたまれて収容されることができ、かくして、この吹込みモデルは、頻繁に出張若しくは旅行する人、若しくは、非定住者が、衣類を自身で乾燥並びにアイロン掛けするのに適した非常に優れた携帯性を有している。これは、本発明の他の目的である。
【発明を実施するための最良の形態】
【００１０】
本発明の技術的な特徴は、添付図面に関連した本発明の好ましい実施形態の詳細な説明により、明瞭になるだろう。
【００１１】
最初に、図２ａ，３ａ，並びに４ａを参照すると、本発明の衣類を乾燥並びにアイロン掛けするための吹込みモデルの分配装置が、示されている。この吹込みモデル１は、濡れた衣類が装着され、かつ人体に対応して閉じたモデルを形成するように、多孔性の布地を縫い合せることにより形成されている。空気入口パイプ１０が、モデル１の上端部に形成され、加熱装置５０が、モデル１中に熱気を吹き込むように、空気入口パイプ１０の外端部に接続される。複数の分流チューブ２１２が、モデル１中に設けられている。各分流チューブ２１２の一端部は、空気入口パイプ１０の内端部から分岐され、また、各分流チューブの他端部は、衣類の複数のラミネート部分に対応した内面に向けられている。吹込みモデル１は、通気のスピードが加速されるように、モデル１に使用されている多孔性の布地よりもわずかに大きなメッシュ密度を有する布地により複数の通気性の高い領域２２を形成している。これら分流チューブ２１２は、モデル１に使用されている多孔性の布地よりも小さなメッシュ密度を有する布地を縫い合せることにより、若しくは、気密性のある布地を縫い合せることにより形成されている。各分流チューブの一端部の一点Ｐは、各分流チューブ２１２が、通気性の高い領域２２に熱気を排出し得るように、通気性の高い領域２２内の上側エッジに固定されている。
【００１２】
本発明に従えば、図２ａないし２ｄに示されているように、吹込みモデル１は、人体の上半身の形状をまねして形成された上半身モデル１ａである。この上半身モデルは、１つの上半身部分１１と、１つのネック部分１２と、１対の上肢部分１３とを有し、濡れた衣類Ａが装着されるように使用される。この上半身モデル１ａは、襟足部分Ａ１と、胸部の２つの中央部分Ａ２と、前側部分Ａ３と、両方のカフス部分Ａ４とに対応して形成された（図２ａ並びに２ｂに示されているような）通気性の高い領域２２を有している。この上半身モデル１ａは、前記空気入口パイプ１０の内側下面に接続された空気チャンバ２１１を中に有している。この空気チャンバ２１１は、前記複数の分流チューブ２１２に熱気を分配して、通気性の高い複数の領域２２に熱気を向けるように、熱気を空気入口パイプ１０から分流用の主チューブ２１を通して導入する。１対の分流チューブ２１２が、衣類Ａの両カフス部分Ａ４のところで通気性の高い領域２２の上側エッジにそれぞれ方向付けられ、また、１つの分流チューブ２１２が、（図２ｃに示されているように）前側部分Ａ３のところで通気性の高い領域２２の上側エッジに方向付けられている。分流用の主チューブ２１と空気チャンバ２１１とは、モデル１の多孔性の衣類よりも小さなメッシュ密度を有する布地を縫い合せることにより、若しくは、気密性のある布地を縫い合せることにより形成されている。さらに、複数の留めテープ１０１が、通常のブロアのような加熱装置５０の空気出口に結ばれたり取着されたりするのに使用されるように、上半身モデル１ａの空気入口パイプ１０の上端部に設けられている。オプションとして、冷気若しくは熱気が、（図２ｄに示されているように）衣類Ａの布地材料に応じて、モデル１ａ中に吹き込まれることができる。
【００１３】
本発明に従えば、図３ａないし３ｄに示されているように、吹込みモデル１は、人体の下半身の形状をまねして形成された下半身モデル１ｂである。この下半身モデルは、１つの下半身部分１４と１対の下肢部分１５とを有し、濡れたズボンＢが装着されるように使用される。この下半身モデル１ｂは、ズボンＢのウエストバンド部分Ｂ１と、ジッパーシールド部分Ｂ２と、２つの脇ポケット部分Ｂ３と、２つの後ポケット部分Ｂ４と、２つのズボンカフス部分Ｂ５とに対応して形成された（図３ａないし３ｂに示されているような）通気性の高い領域２２を有している。この下半身モデル１ｂは、空気入口パイプ１０の内側下面に接続された空気チャンバ２１１を中に有している。この空気チャンバ２１１は、複数の分流チューブ２１２に熱気を分配して、浸気性の高い複数の領域２２に熱気を方向付けするように、熱気を空気入口パイプ１０から分流用の主チューブ２１を通して導入する。（図３ｃに示されているように）１つの分流チューブ２１２が、ズボンＢのジッパーシールド部分Ｂ２のところで通気性の高い領域２２の上側エッジに方向付けられ、また、１対の分流チューブ２１２が、両方の脇ポケット部分Ｂ３のところで通気性の高い領域２２の上側エッジにそれぞれ方向付けられ、また、１対の分流チューブ２１２が、両方の後ポケットＢ４のところで通気性の高い領域２２の上側エッジにそれぞれ方向付けられている。分流用の主チューブ２１と空気チャンバ２１１とが、モデル１の多孔性の布地よりも小さなメッシュ密度を有する布地を縫い合せることにより、若しくは、気密性のある布地を縫い合せることにより形成されている。さらに、複数の留めテープ１０１が、通常のブロアのような加熱装置５０の空気出口に結ばれたり取着されたりするのに使用されるように、下半身モデル１ｂの空気入口パイプ１０の上端部に設けられている。オプションとして、冷気若しくは熱気が、（図３ｄに示されているように）ズボンＢの布地材料に応じて、モデル１ｂ中に吹き込まれることができる。
【００１４】
本発明に従えば、図４ａないし４ｅに示されているように、吹込みモデル１は、人体の上半身と腰との形状をまねして形成された一体モデル１ｃである。この一体モデルは、１つの上半身部分１１と、１つのネック部分１２と、１対の上肢部分１３と、１つの腰部分１４ａとを有し、細い肩紐、ブラジャーＣ、パンティＤ、靴下Ｅ、並びに、小さな付属品Ｆのようなボディストッキングを装着若しくは吊すように使用される。この一体モデル１ｃは、（図４ａ並びに４ｂに示されているように）ブラジャーＣの両胸部分にそれぞれ対応するように凸状に形成された通気性の高い１対の領域２２と、１対の上肢部分１３の各々の一端部の通気性の高い領域２２とを形成している。この一体モデル１ｃ中では、１対の分流チューブが、両胸部分の通気性の高い領域２２の上側エッジにそれぞれ熱気を方向付けするように、空気入口パイプ１０の内端部からそれぞれ分岐されている。この一体モデル１ｃでは、１対の上肢部分１３が、濡れた靴下Ｅが装着されるように小径の外周を有し、上方に突出した１対のショルダー部分が、ブラジャーなどの細い肩紐がずれ落ちるのを防止するようにこれら肩紐を吊るすために、上方の右左側にそれぞれ形成されている。さらに、一体モデル１ｃには、パンティＣのサイズが一体モデル１ｃのサイズに合っていない場合に、パンティＣの裏面に留めテープを装着するように、背面の左右側に留めテープ１０２がそれぞれ設けられている。複数の留めテープ１０１が、通常のブロアのような加熱装置５０の空気出口に結ばれたり取着されたりするように、一体モデル１ｃの空気入口パイプ１０の上端部に設けられている。オプションとして、冷気若しくは熱気が、（図４ｄに示されているように）衣類の布地材料に応じて、モデル１中に吹き込まれることができる。さらに、ジッパー１１０により閉じられ垂直方向に延びた開口部１１１が、左右方向に延びる少なくとも１つの吊り紐１１２が設けられた一体モデル１ｃの背面に、形成されている。代わって、ブラジャーＣ、パンティＤ、靴下Ｅ、並びに、小さな付属品Ｆは、（図４に示されているように）同時に乾燥されるように、吊り紐１１２に吊るされることができる。
【００１５】
図５ａ並びに５ｂは、本発明の加熱装置５０を示している。通常のブロアのようなこの加熱装置５０は、空気出口５１を有し、冷気、暖気、若しくは、熱気を選択的に吹き出すことができる。ハンガー５２が、ブロアを吊るすように、加熱装置５０の上端部に設けられている。接続部材５３が、吹込みモデル１の空気入口パイプ１０にしっかりと接続されるように、加熱装置５１の下端部に接続されている。図５ａに示されているように、幾つかのねじ山部分５１１が、加熱装置５０の空気出口５１の外面に形成され、また、幾つかのねじ溝５３１が、これらねじ山部分５１１と係合するように、前記接続部材５３の内側ボアに形成されている。接続部材５３の外周には、環状のへこみ部分５３３が、上側フランジ並びに下側フランジ５３２間に形成されている。使用時に、吹込みモデル１の空気入口パイプ１０は、接続部材５３の外周に渡って挿入され、空気入口パイプ１０の外面に設けられた１対の留めテープ１０１が、安定性のある接続を確実にするように、（図５ｂに示されているように）接続部材５３のへこみ部分５３３の周りに巻かれる。
【００１６】
図６は、頻繁に旅行する人により使用される本発明の吹込みモデル１が、吊り紐６０により、通常のブロア７０と組み合わされているのを示している。これは、頻繁に旅行する人が、自身で衣類を乾燥並びにアイロン掛けするためにホテルにより提供されるブロア７０のような、局部の電源からの手段を得ることを意味している。吊り紐６０は、例えば、空気出口７１を形成するため、並びに、ブロア７０を支持するために、中央に透孔６１を有している。吊り紐６０の両端部は、吊るされるように、ハンガー５２に接続されている。中空部分６２が、空気の循環のために、ブロア７０の両側部に対応するようにそれぞれ設けられている。分岐側方ストラップ６３が、ブロア７０のハンドル７２を所定の位置に保持してブロア７０のバランスを維持するように、設けられている。さらに、留めテープ６４が、吊り紐の両側の適切な位置にそれぞれ設けられている。使用時に、吹込みモデル１の空気入口パイプ１０は、ブロア７０の空気出口７１と連通されてこの出口の外面に装着され、空気入口パイプ１０の外周に設けられた１対の留めテープにより水平方向にしっかりと取着され、そして、安定性のある接続が達成され得るようにハンガー６０の両側に留めテープ６４に対して垂直に接着される。
【００１７】
即ち、本発明の吹込みモデルは、空気入口パイプを通して熱気を吹き込むように、通常のブロアを使用する。閉じたモデルがある程度の張り状態に膨張された後、熱気が、布地の繊維間のギャップから外方に抜け始め、布地の繊維間に存在する水分子を除去する。従って、衣類は、素早く乾燥され、しわの無い状態に維持されることができ、この結果、アイロン掛けに費やされる時間と電力が、節約され得る。さらに、吹込みモデルは、占領スペースを節約するように、折りたたまれて収容されることができる。良好な携帯性のために、携帯して自身で衣類を乾燥並びにアイロン掛けすることは、旅行者にとって便利である。かくして、本発明は、産業において優れた実用性を有する、斬新かつ革新的な発明であることは間違いない。
【００１８】
本発明は、添付図面に関連した好ましい実施形態により説明されているが、これら好ましい実施形態並びに図面は、単に説明を簡単にするためのものであり、本発明の範囲を限定するように意図されていない。様々な変更並びに変形が、本発明の精神から逸脱することなく果たされ得ることに、注意すべきである。この場合、これら変更並びに変形は、本発明の範囲内であると考えられる。
【図面の簡単な説明】
【００１９】
【図１ａ】人体の上半身のモデルを示す台湾特許第６，０４１，５１７号から引用された概略図である。
【図１ｂ】人体の下半身のモデルを示す台湾特許第６，０４１，５１７号から引用された概略図である。
【図１ｃ】吹込みモデルの使用の状態を示す台湾特許第６，０４１，５１７号から引用された概略図である。
【図２ａ】本発明の上半身モデルを示す概略的な正面図である。
【図２ｂ】図２ａの上半身モデルを示す概略的な背面図である。
【図２ｃ】図２ａの２ｃ−２ｃ方向から見た概略的な断面図である。
【図２ｄ】図２ａの上半身モデルの動作状態を示す概略図である。
【図３ａ】本発明の下半身モデルを示す概略的な正面図である。
【図３ｂ】図３ａの下半身モデルを示す概略的な背面図である。
【図３ｃ】図３ａの３ｃ−３ｃ線に沿って切断された概略的な断面図である。
【図３ｄ】図３ａの下半身モデルの動作状態を示す概略図である。
【図４ａ】本発明の一体モデルを示す概略的な正面図である。
【図４ｂ】図４ａの一体モデルを示す概略的な背面図である。
【図４ｃ】図４ａの４ｃ−４ｃ線に沿って切断された概略的な断面図である。
【図４ｄ】図４ａの一体モデルの動作状態を示す概略的な正面図である。
【図４ｅ】図４ｄの一体モデルの動作状態を示す概略的な背面図である。
【図５ａ】接続部材が非接続された状態の本発明の加熱装置を示している。
【図５ｂ】本発明の吹込みモデルに組み合わされた図５ａの加熱装置の部分的な動作状態を示す概略図である。
【図６】本発明の吹込みモデルに組み合わされた他の加熱装置の部分的な動作状態を示す概略図である。
【符号の説明】
【００２０】
１（１ａ，１ｂ，１ｃ）…モデル、１０…空気入口パイプ、２２…通気性の高い領域、５０…加熱装置、２１１…空気チャンバ、２１２…分流チューブ
【図１ａ】
2009082688.tif 000003
【図１ｂ】
2009082688.tif 000004
【図１ｃ】
2009082688.tif 000005
【図２ａ】
2009082688.tif 000006
【図２ｂ】
2009082688.tif 000007
【図２ｃ】
2009082688.tif 000008
【図２ｄ】
2009082688.tif 000009
【図３ａ】
2009082688.tif 000010
【図３ｂ】
2009082688.tif 000011
【図３ｃ】
2009082688.tif 000012
【図３ｄ】
2009082688.tif 000013
【図４ａ】
2009082688.tif 000014
【図４ｂ】
2009082688.tif 000015
【図４ｃ】
2009082688.tif 000016
【図４ｄ】
2009082688.tif 000017
【図４ｅ】
2009082688.tif 000018
【図５ａ】
2009082688.tif 000019
【図５ｂ】
2009082688.tif 000020
【図６】
2009082688.tif 000021